(57)【要約】【課題】２つのナットに被せたキャップを、それぞれの突起部にワイヤーのアイを引掛けた後、互いに締付けるだけで、ナットが緩まないうえに、目視で簡単に点検できるナット緩み防止具を提供する。【解決手段】ボルトの六角形ナットの緩み防止具であって、それぞれ相対する２つのボルトに螺合した前記ナットを内部に嵌合して被せ、かつ、外周部に締付け回転方向に引っ張るための突起を設けた緩み止めキャップと、前記突起を引掛けることができる引掛け手段と締付け手段とを有する線状の緊張体と、を備え、前記２つのキャップの前記突起同士を前記引掛け手段で引掛けた後、前記締付け手段で締付けて、前記線状の緊張体を張着したことを特徴とするナット緩み防止具。【選択図】図１
2018179104.tif 000002
【特許請求の範囲】
【請求項１】
ボルトの六角形ナットの緩み防止具であって、それぞれ相対する２つのボルトに螺合した前記ナットを内部に嵌合して被せ、かつ、外周部に締付け回転方向に引っ張るための突起を設けた緩み止めキャップと、前記突起を引掛けることができる引掛け手段と締付け手段とを有する線状の緊張体と、を備え、前記２つのキャップの前記突起同士を前記引掛け手段で引掛けた後、前記締付け手段で締付けて、前記線状の緊張体を張着したことを特徴とするナット緩み防止具。
【請求項２】
前記線状の緊張体が、ワイヤー、針金又は番線であることを特徴とする請求項１に記載のナット緩み防止具。
【請求項３】
前記引掛け手段がアイであること特徴とする請求項１又は２に記載のナット緩み防止具。
【請求項４】
前記締付け手段がターンバックルであることを特徴とする請求項１又は２又は３に記載のナット緩み防止具。
【請求項５】
前記緩み止めキャップが、金属製であることを特徴とする請求項１から4のいずれかに記載のナット緩み防止具。
【発明の詳細な説明】
【技術分野】
【０００１】
本発明は、機械の台座を固定するためのナットを、機械の振動等によって緩まないようにすると共に、ナットの緩みの点検を目視によって、簡単でしかも確実に行うことができるナット緩み防止具に関するものである。
【背景技術】
【０００２】
従来、底版コンクリートに機械の台座を据付けて固定する場合において、後施工で底版コンクリートにドリルで孔を開けた後、アンカーボルトを挿し込んでケミカル（接着剤）で固定する施工方法が行われてきた。しかし、機械の設置後、機械の運転による振動で、機械の台座を固定しているナットが緩み、機械が動いたり、場合によっては機械が転倒する危険があった。
【０００３】
そこで、ナットが緩まないようにするために、実際の施工現場では、ナットとアンカーボルトの両方が一直線になるように孔を開けて、その孔にワイヤーや棒等を通してナットの回転を防止する手段がとられている。また、ナットが緩まないようにする様々な発明がなされてきており、例えば、２つの六角ナットをそれぞれラチェットでナットの緩み回転を阻止すると共に、ナット緩み止め具で連結してナットとラチェットとの共回りを防止してナットの緩みを防止する先行技術が開示されている（参考文献１）。また、他のナットを利用して、目的のナットが緩まないようにする先行技術が開示されている（参考文献２）。
【先行技術文献】
【特許文献】
【０００４】
【特許文献１】特開２０００−２６６０３０号公報
【特許文献２】特開２０１１−２４１０８８号公報
【発明の概要】
【発明が解決しようとする課題】
【０００５】
特許文献１及び特許文献２の先行技術は、２個又はそれ以上の数のナットを使って、それらのナットを連携させてナットが緩むことを防止できる点で優れているが、実際に現場では、ドリルで孔を穿孔する際に、内部の鉄筋に当たって、アンカーボルトの平面位置を変更する場合が多くあり、また、斜めにアンカーボルトを挿入した後に頭部を曲げたりして、実際のナット面が同一平面上にない場合が多くあり、このように机上の計算通りに実際の施工がうまく行かない場合が多く、その場合に、特許文献１の先行技術を用いることはできないし、また、特許文献２の技術に記載されている軸部を現場で合うように曲げる作業や、アンカーボルトとナットを施工現場で孔を開けてワイヤー等を通す作業は、数量も多く、非常に手間（時間と労力）が掛かるという問題があった。
【０００６】
本発明は、これらの問題を解決したものであって、２つのナットに被せたキャップを、それぞれの突起部にワイヤーのアイを引掛けた後、互いに締付けるだけで、ナットが緩まないうえに、目視で簡単に点検できるナット緩み防止具を提供するものである。
【課題を解決するための手段】
【０００７】
上記の目的を達成するために、本願発明の請求項１に係るナット緩み防止具は、ボルトの六角形ナットの緩み防止具であって、それぞれ相対する２つのボルトに螺合した前記ナットを内部に嵌合して被せ、かつ、外周部に締付け回転方向に引っ張るための突起を設けた緩み止めキャップと、前記突起を引掛けることができる引掛け手段と締付け手段とを有する線状の緊張体と、を備え、前記２つのキャップの前記突起同士を前記引掛け手段で引掛けた後、前記締付け手段で締付けて、前記線状の緊張体を張着したことを特徴とするナット緩み防止具。
【０００８】
この構成を採用することにより、本願発明の請求項１に係るナット緩み防止具は、ナットが締る方向に、線状の緊張体の引掛け手段を引掛けられるようにした突起が設けてあるキャップ２個をそれぞれナットに嵌合させ、互いの突起にワイヤーを引掛けて、締付け手段で締付けて緊張するだけなので、作業が非常に簡単であり、また、それぞれのナットが緩むことがない。よって、施工が容易で費用を安くすることができる。また、線状の緊張体が、破断しなければ、ナットが緩むことがないので、ナットの緩みに関する検査においても、目視によって、線状の緊張体の破断の有無を手軽に素早く見つけて、確実に行うことができる。よって、ナットが、高所に設けられていたとしても、安全な位置から目視検査できる。
【０００９】
また、本願発明の請求項２に係るナット緩み防止具は、請求項１に記載のナット緩み防止具において、前記線状の緊張体が、ワイヤー、針金又は番線であることを特徴とする。
【００１０】
この構成を採用することにより、線状の緊張体が、ワイヤー、針金又は番線なので屈曲性があり、２つのナット（キャップ）の高さが違って、２つのナットが同一平面上になかったとしても、両端部の突起同士を緊張させることができる。よって、施工誤差があったとしても簡単に対応できるので、後施工のアンカーボルトのナットの緩み防止に好適となる。また、ナット同士の距離が一定でなくとも緊張させることができる。したがって、実際の施工現場における汎用性が高く、大変便利である。
【００１１】
また、本願発明の請求項３に係るナット緩み防止具は、請求項１又は２に記載のナット緩み防止具において、  前記引掛け手段がアイであること特徴とする。また、また、本願発明の請求項４に係るナット緩み防止具は、請求項１又は２又は３に記載のナット緩み防止具において、前記締付け手段がターンバックルであることを特徴とする。また、本願発明の請求項５に係るナット緩み防止具は、請求項１から４のいずれかに記載のナット緩み防止具において、前記緩み止めキャップが、金属製であることを特徴とする。
【００１２】
これらの構成を採用することにより、本発明に係るナット緩み防止具は、アイによって、突起に確実に引掛けることができる。また、ターンバックルによって、突起に引掛けた線状の緊張体に、簡易に、確実に張力をかけることができるし、緩まない。また、キャップは金属製を用いれば、変形しないし、耐久性があって劣化しにくい。例えば、亜鉛メッキやステンレスを用いれば、さびにも強い。
【発明の効果】
【００１３】
本発明に係る請求項１から５に記載のナット緩み防止具によれば、ベースコンクリートの打設状況や、アンカーボルトの施工精度が悪くても、どんなナットに対しても、手間をかけず、簡単で素早く、確実に緩み防止作業を行うことができる。また、施工後の定期的な検査も、簡単で素早く行え、また、確実で、しかも安全である。また、製造も簡単な製造工程と材料で製造できるので作製費用も安くできる。
【図面の簡単な説明】
【００１４】
【図１】本発明の実施するための形態に係るナット緩み防止具の模式的斜視図である。
【図２】本発明の実施するための形態に係るナット緩み防止具のキャップであって、（ａ）は、模式的平面図、（ｂ）は、模式的底面図、（ｃ）は、（ａ）におけるＡ−Ａ矢視断面図である。
【図３】本発明の実施するための形態に係るナット緩み防止具であって、ワイヤーの模式的斜視図である。
【図４】本発明の実施するための形態に係るナット緩み防止具であって、施工前の状態を示す模式的正面図である。
【図５】本発明の実施するための形態に係るナット緩み防止具であって、施工中の状態を示す模式的正面図である。
【図６】本発明の実施するための形態に係るナット緩み防止具であって、施工後の状態を示しており、（Ａ）は、模式的正面図で、（ｂ）は、模式的平面図である。
【発明を実施するための形態】
【００１５】
本発明に係るナット緩み防止具１は、ベースコンクリート２０に、後施工でドリルを用いて開けたボルト穴２−３に接着剤を入れ、アンカーボルト５を挿入してアンカーボルト５を固定し、機械の台座１０のボルト穴にアンカーボルト５を通した後、緩まないようにするために２重のナットＢ４−２、ナットＡ４−１で締付けて固定した後に、さらに、これらのナット４−１、４−２の緩み防止のために用いられる。ナット緩み防止具１は、少なくとも、それぞれナットＡ４−１に被せる２つのキャップ２と、キャップに設けられた突起に引っ掛けて緊張するワイヤー３と、から構成されている。
【００１６】
キャップ２は、金属製であって、図４から図６（ｂ）に示すように、２重になっているナットＡ４−１、ナットＢ４−２の上部のナットＡ４−１に被せて使用する。また、キャップ２の下部は、図２（ｂ）に示すように、内部にナットＡと同形状の凹部があり、キャップ２が締付ける力をナットＡ４−１にロスなく伝えられるように、ナットＡ４−１に嵌合させることができる。また、キャップ２の上面には、アンカーボルト５が貫通できるように、ボルト穴２−３が空いている。よって、アンカーボルト５が、ナットＡ４−１から飛び出していても、不要なアンカーボルト５を切断せずにそのまま被せることができる。また、キャップ２の側面には、ナット４−１、４−２が締まる回転方向にワイヤー３のアイ３−１を引掛けることができる突起２−１が備えられている。なお、突起の数は、４個に限らず、２個や３個でもよいが、それ４個以上あってた方が、最適な位置の突起を選択しやすくなる。また、突起は、キャップ本体と一体で製造している。
【００１７】
ワイヤー３は、両端部にアイ３−１と、中央部にターンバックル３−２と、を備えている。アイ３−１を、それぞれのキャップ２の突起２−１に引掛けて、ターンバックル３−２で緊張してキャップ２を緩まないようにしている。また、ワイヤー３の本体とターンバックル３−２との連結は、ターンバックル３−２のねじの先端にワイヤー本体をかしめて連結してもよいし、溶接してもよいし、また、ワイヤー本体をの先端をアイにして、ターンバックル３−２のねじの先端にフックを設けて引掛けて緊張してもよい。よって、ワイヤー３が、断線しない限り、キャップ２、即ち、ナットＡ４−１、ナットＢ４−２が緩まないので、目視によって断線の有無を判断すればよく、簡単かつ迅速に点検できる。また、高所に設けられたナットＡ４−１、ナットＢ４−２に対しても、離れた安全な位置からワイヤー３の断線の有無を見ることにより、確実に点検することができる。
【００１８】
次に、本発明に係るナット緩み防止具１の製造方法の１例を説明する。鋼板をプレスして６角形のナット穴２−２と突起２−１を形成し、バリを落として完成したキャップ２を２個製作する。同時作業で、ターンバックル３−２のねじの両端部に、両端部にアイ３−１を有するワイヤー本体を金属でかしめて固定してワイヤー３が完成する。
【００１９】
また、本発明に係るナット緩み防止具１の使用方法の１例を説明する。ベースコンクリート２０の所定の位置に、ドリルで所定の深さまでドリル孔２０−１を開け、そして、接着剤を入れながらアンカーボルト５を建て込む。この際に、アンカーボルト５が垂直になっていなければ、ベースコンクリート２０から飛び出した位置でアンカーボルト５を曲げて垂直にする。そして、機械台座１０のボルト穴にアンカーボルト５を通し、２重になっているナットＢ４−２とナットＡ４−１の両方を所定の強さで締める。他の位置のナットＡ４−１、ナットＢ４−２も同様の手順で締める。
【００２０】
次に、それぞれのナットＡ４−１にキャップ２のナット穴２−２を嵌合させて被せ、ワイヤー３が外れず張力を掛けることができる位置にある突起２−１に、ワイヤーの両端部のアイ３−１を引掛けて、ターンバックル３−２を締付けて固定し、本願発明に係るナット緩み防止具１は使用状態となる。
【００２１】
本発明に係るナット緩み防止具１を用いれば、ナットＡ４−１、ナットＢ−２の緩みを点検等する際には、ワイヤー３の断線を目視するだけでよいので、点検作業を、素早く、確実に、また、離れた位置から安全に行うことができる。
【産業上の利用可能性】
【００２２】
電車、自転車、バイク等の緩まないナットが必要な分野に広く利用することができる。
【符号の説明】
【００２３】
１：ナット緩み防止具
２：キャップ
２−１：突起                ２−２：ナット穴          ２−３：ボルト穴
３：ワイヤー                
３−１：アイ                ３−２：ターンバックル    ３−２−１：ネジ
４−１：ナットＡ            ４−２：ナットＢ
５：アンカーボルト
１０：機械台座
２０：ベースコンクリート      ２０−１：ドリル孔
【図１】
2018179104.tif 000003
【図２】
2018179104.tif 000004
【図３】
2018179104.tif 000005
【図４】
2018179104.tif 000006
【図５】
2018179104.tif 000007
【図６】
2018179104.tif 000008
【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
底版コンクリートに据付ける機械の台座用の後施工アンカーボルトの六角形ナットの緩み防止具であって、それぞれ相対する２つの前記アンカーボルトに螺合した前記ナットを内部に嵌合して被せ、かつ、前記アンカーボルトを貫通させるためのボルト穴を有し、かつ、外周部に締付け回転方向に引っ張るための突起を設けた緩み止めキャップと、前記突起を引掛けることができる引掛け手段とターンバックルとを有するワイヤー、針金又は番線と、を備え、前記２つのキャップの前記突起同士を前記引掛け手段で引掛けた後、前記ターンバックルで締付けて、前記ワイヤー、前記針金又は前記番線を張着したことを特徴とするナット緩み防止具。
【請求項２】
前記引掛け手段がアイであること特徴とする請求項１に記載のナット緩み防止具。
【請求項３】
前記緩み止めキャップが、金属製であることを特徴とする請求項１又は２に記載のナット緩み防止具。
【手続補正２】
【補正対象書類名】明細書
【補正対象項目名】０００７
【補正方法】変更
【補正の内容】
【０００７】
上記の目的を達成するために、本願発明の請求項１に係るナット緩み防止具は、底版コンクリートに据付ける機械の台座用の後施工アンカーボルトの六角形ナットの緩み防止具であって、それぞれ相対する２つの前記アンカーボルトに螺合した前記ナットを内部に嵌合して被せ、かつ、前記アンカーボルトを貫通させるためのボルト穴を有し、かつ、外周部に締付け回転方向に引っ張るための突起を設けた緩み止めキャップと、前記突起を引掛けることができる引掛け手段とターンバックルとを有するワイヤー、針金又は番線と、を備え、前記２つのキャップの前記突起同士を前記引掛け手段で引掛けた後、前記ターンバックルで締付けて、前記ワイヤー、前記針金又は前記番線を張着したことを特徴とする。
【手続補正３】
【補正対象書類名】明細書
【補正対象項目名】０００９
【補正方法】変更
【補正の内容】
【０００９】
また、本願発明のナット緩み防止具は、線状の緊張体が、ワイヤー、針金又は番線である。
【手続補正４】
【補正対象書類名】明細書
【補正対象項目名】００１０
【補正方法】変更
【補正の内容】
【００１０】
線状の緊張体が、ワイヤー、針金又は番線なので屈曲性があり、２つのナット（キャップ）の高さが違って、２つのナットが同一平面上になかったとしても、両端部の突起同士を緊張させることができる。よって、施工誤差があったとしても簡単に対応できるので、後施工のアンカーボルトのナットの緩み防止に好適となる。また、ナット同士の距離が一定でなくとも緊張させることができる。したがって、実際の施工現場における汎用性が高く、大変便利である。
【手続補正５】
【補正対象書類名】明細書
【補正対象項目名】００１１
【補正方法】変更
【補正の内容】
【００１１】
また、本願発明の請求項２に係るナット緩み防止具は、請求項１に記載のナット緩み防止具において、  前記引掛け手段がアイであること特徴とする。また、また、本願発明の請求項３に係るナット緩み防止具は、請求項１又は２に記載のナット緩み防止具において、前記緩み止めキャップが、金属製であることを特徴とする。
【手続補正６】
【補正対象書類名】明細書
【補正対象項目名】００１３
【補正方法】変更
【補正の内容】
【００１３】
本発明に係る請求項１から３に記載のナット緩み防止具によれば、ベースコンクリートの打設状況や、アンカーボルトの施工精度が悪くても、どんなナットに対しても、手間をかけず、簡単で素早く、確実に緩み防止作業を行うことができる。また、施工後の定期的な検査も、簡単で素早く行え、また、確実で、しかも安全である。また、製造も簡単な製造工程と材料で製造できるので作製費用も安くできる。